(57)【要約】【課題】この発明は、ベッドに腰掛けた病人や足腰の不自由な人が、立ち上がることなくトイレの便座上に乗り移って排便し、排便後も一人でベッド上へ戻ることができる椅子型トイレの提供を目的とする。【解決手段】肘掛け部４に設けられた肘掛け固定機構３０のロック解除ボタン３３を操作して、ガイドレール１４の係止孔１４ａ又は１４ｂから肘掛け固定ピン３１の係止部３１ｂを抜き取ることにより、肘掛け板４Ａの固定が解除される。同時に、後退位置の肘掛け板４Ａは前方へ水平移動され、前進位置の肘掛け板４Ａは後方へ水平移動される。また、肘掛け板４Ａを後退位置まで移動すると、前端側の係止孔１４ａに肘掛け固定ピン３１の係止部３１ｂが係合され、肘掛け板４Ａが後退位置に固定される。また、肘掛け板４Ａを前進位置まで移動すると、後端側の係止孔１４ｂに肘掛け固定ピン３１の係止部３１ｂが係合され、肘掛け板４Ａが前進位置に固定される。【選択図】図４
2011019663.tif 000002
【特許請求の範囲】
【請求項１】
上面側開口部に便座が載置された椅子本体と、該椅子本体の後側に取り付けられた背凭れ部と、該椅子本体の両側に取り付けられた左右一対の肘掛け部と、該椅子本体の両側下端に取り付けられた左右一対の脚部とを備えた椅子型トイレであって、
前記肘掛け部は、
前記椅子本体の側面と略同一となる長さに形成された肘掛け板と、該椅子本体の中央側面より後側に取り付けられた肘掛け支持板とで構成され、
前記肘掛け板は、前記肘掛け支持板の水平支持板上に対して、該肘掛け板の前端が前記椅子本体の前側上方に移動される前進位置と、該肘掛け板の前端が前記椅子本体の中央上方に移動される後退位置とに前記椅子本体の前後方向と平行して水平移動自在に設けられ、
前記肘掛け支持板には、前記肘掛け板が前進位置及び後退位置に移動された際に、該肘掛け板を前後方向に対し水平移動不可に固定する肘掛け固定手段が設けられた
椅子型トイレ。
【請求項２】
前記肘掛け固定手段は、
前記肘掛け板の下面側に対し該肘掛け板の長手方向と平行して固定され、前記水平支持板と対向する下面側中央部に溝部が形成されたガイドレールと、
前記水平支持板の厚み方向に貫通して形成された軸受孔に対し上下動自在に挿入された肘掛け固定ピンとを備え、
前記ガイドレールの前端側下面に、前記肘掛け板が前進位置に移動された際に前記肘掛け固定ピンが係止される係止孔が前記溝部と連通して形成され、
前記ガイドレールの後端側下面に、前記肘掛け板が後退位置に移動された際に前記肘掛け固定ピンが係止される係止孔が前記溝部と連通して形成され、
前記ガイドレールの溝部に挿入された前記肘掛け固定ピンの上端に、該溝部の対向縁部上に係止される大きさ及び形状で、且つ、該ガイドレールの係止孔に係合される係止部が形成され、
前記水平支持板の軸受孔より下方に突出された前記肘掛け固定ピンの下端に、前記係止孔から係止部が抜き取られるロック解除方向に向けて前記肘掛け固定ピンを押し上げ操作するための操作部が設けられ、
前記肘掛け固定ピンの下端側に、前記係止孔に対し係止部が係合される方向に向けて前記肘掛け固定ピンを押し下げるためのバネ部材が装着された
請求項１に記載の椅子型トイレ。
【請求項３】
前記肘掛け板の両端に、前記肘掛け板が前進位置及び後退位置に到達する直前から圧縮され、該肘掛け板が押し戻される方向に向けて復元力が蓄積されるバネ部材が設けられた
請求項１又は２に記載の椅子型トイレ。
【請求項４】
前記肘掛け板に、該肘掛け板が前進位置、中間位置、後退位置に移動されたことを、該各位置と対応して設定された色に発光することによって表示する移動位置表示手段が設けられた
請求項１〜３のいずれか一つに記載の椅子型トイレ。
【請求項５】
前記椅子本体及び／又は肘掛け板に、人が近づいたことを検知する人感センサーが設けられ、
前記移動位置表示手段が、前記人感センサーから出力される検知信号に基づいて前記各位置と対応する色に発光される
請求項１〜４のいずれか一つに記載の椅子型トイレ。
【請求項６】
前記椅子本体の一側前部又は両側前部に、前記椅子本体の便座上面と水平となる高さに突出される補助板を設けた
請求項１〜５のいずれか一つ又は２に記載の椅子型トイレ。
【請求項７】
前記補助板が、前記椅子本体の前後方向と直交する方向に対し上下回動自在に設けられ、
前記椅子本体の便座上面と水平となる高さ位置と、該椅子本体の側面に沿って下方に垂下された垂直位置とに回動規制された
請求項６に記載の椅子型トイレ。
【請求項８】
前記補助板が、前記椅子本体の前後方向と直交する方向に対し水平移動自在に設けられ、
前記椅子本体の側部に突出される突出位置と、該椅子本体の内部に収容される没入位置とに回動規制された
請求項６に記載の椅子型トイレ。
【発明の詳細な説明】
【技術分野】
【０００１】
この発明は、例えばベッドに腰掛けた病人や足腰の不自由な人が、立ち上がることなくトイレの便座上に乗り移って排便し、排便後も一人でベッド上へ戻ることができる椅子型トイレに関する。
【背景技術】
【０００２】
従来例の椅子型トイレとしては、例えば本体部の一側に取り付けられた肘掛け部を上方へ跳ね上げて、背凭れ部と平行する姿勢に起立する。座部の側方が開放された状態にして、例えばベッドから本体部へ利用者が移乗したり、本体部からベッドへ利用者が移乗したりする特許文献１のポータブルトイレがある。しかし、肘掛け部を上方へ跳ね上げてしまうと、身体を肘掛け部で支えることができなくなる。また、移乗するのに手間及び時間が掛かるだけでなく、横転するか転げ落ちてしまう恐れがあるため、移乗する際に介助が必要になる。
【０００３】
また、前記以外の方法としては、肘掛け部を背凭れ部の後方へ移動するか、トイレの便座上面と水平となる高さに降下する方法があるが、前記と同様に、移乗する際に身体を肘掛け部で支えることができない。さらに、トイレに移乗して正面向きに着座した姿勢のままでは、肘掛け部を下方へ回動したり、前方へ引き出したりする操作が行いにくく、身体の姿勢を横向きに変更しなければならない。しかし、身体的能力の低下した老人や身障者等の利用者の手では操作することが難しい。
【０００４】
他の例としては、例えば脚杆の外側に取り付けられた肘掛けの横杆が前後方向に伸縮可能な特許文献２の可搬便器がある。しかし、肘掛けの横杆は、補助横杆の底面に対しボルトにより締付け固定されているので、肘掛けを前後方向に伸縮調節する場合、ボルトを緩み方向及び締付け方向に回動操作しなければならず、伸縮調節作業に手間及び時間が掛かる。また、肘掛けの縦杆が座板の側部に固定されているので、可搬便器の側部から腰掛けることができない。
【先行技術文献】
【特許文献】
【０００５】
【特許文献１】特開２００５−１５２２７６号公報
【特許文献２】特開２００３−１１１６９０号公報
【発明の概要】
【発明が解決しようとする課題】
【０００６】
この発明は、ベッドに腰掛けた病人や足腰の不自由な人が、立ち上がることなくトイレの便座上に乗り移って排便し、排便後も一人でベッド上へ戻ることができる椅子型トイレを提供することを目的とする。
【課題を解決するための手段】
【０００７】
この発明は、上面側開口部に便座が載置された椅子本体と、該椅子本体の後側に取り付けられた背凭れ部と、該椅子本体の両側に取り付けられた左右一対の肘掛け部と、該椅子本体の両側下端に取り付けられた左右一対の脚部とを備えた椅子型トイレであって、前記肘掛け部は、前記椅子本体の側面と略同一となる長さに形成された肘掛け板と、該椅子本体の中央側面より後側に取り付けられた肘掛け支持板とで構成され、前記肘掛け板は、前記肘掛け支持板の水平支持板上に対して、該肘掛け板の前端が前記椅子本体の前側上方に移動される前進位置と、該肘掛け板の前端が前記椅子本体の中央上方に移動される後退位置とに前記椅子本体の前後方向と平行して水平移動自在に設けられ、前記肘掛け支持板には、前記肘掛け板が前進位置及び後退位置に移動された際に、該肘掛け板を前後方向に対し水平移動不可に固定する肘掛け固定手段が設けられた椅子型トイレであることを特徴とする。
【０００８】
この発明の態様として、前記肘掛け固定手段は、前記肘掛け板の下面側に対し該肘掛け板の長手方向と平行して固定され、前記水平支持板と対向する下面側中央部に溝部が形成されたガイドレールと、前記水平支持板の前端側上面及び後端側上面に取り付けられ、前記ガイドレールの内部に対し前後摺動自在に挿入された一対のスライドガイドと、前記水平支持板の厚み方向に貫通して形成された軸受孔に対し上下動自在に挿入された肘掛け固定ピンとを備え、前記ガイドレールの前端側下面に、前記肘掛け板が前進位置に移動された際に前記肘掛け固定ピンが係止される係止孔が前記溝部と連通して形成され、前記ガイドレールの後端側下面に、前記肘掛け板が後退位置に移動された際に前記肘掛け固定ピンが係止される係止孔が前記溝部と連通して形成され、前記ガイドレールの溝部に挿入された前記肘掛け固定ピンの上端に、該溝部の対向縁部上に係止される大きさ及び形状で、且つ、該ガイドレールの係止孔に係合される係止部が形成され、前記水平支持板の軸受孔より下方に突出された前記肘掛け固定ピンの下端に、前記係止孔から係止部が抜き取られるロック解除方向に向けて前記肘掛け固定ピンを押し上げ操作するための操作部が設けられ、前記肘掛け固定ピンの下端側に、前記係止孔に対し係止部が係合される方向に向けて前記肘掛け固定ピンを押し下げるためのバネ部材を装着することができる。
【０００９】
また、この発明の態様として、前記肘掛け板の両端に、前記肘掛け板が前進位置及び後退位置に到達する直前から圧縮され、該肘掛け板が押し戻される方向に向けて復元力が蓄積されるバネ部材を設けることができる。
【００１０】
また、この発明の態様として、前記肘掛け板に、該肘掛け板が前進位置、中間位置、後退位置に移動されたことを、該各位置と対応して設定された色に発光することによって表示する移動位置表示手段を設けることができる。
【００１１】
また、この発明の態様として、前記椅子本体及び／又は肘掛け板に、人が近づいたことを検知する人感センサーを設け、前記移動位置表示手段を、前記人感センサーから出力される検知信号に基づいて前記各位置と対応する色に発光させることができる。
【００１２】
また、この発明の態様として、前記椅子本体の一側前部又は両側前部に、前記椅子本体の便座上面と水平となる高さに突出される補助板を設けることができる。
【００１３】
また、この発明の態様として、前記補助板を、前記椅子本体の前後方向と直交する方向に対し上下回動自在に設けるとともに、前記椅子本体の便座上面と水平となる高さ位置と、該椅子本体の側面に沿って下方に垂下された垂直位置とに回動規制することができる。
【００１４】
また、この発明の態様として、前記補助板を、前記椅子本体の前後方向と直交する方向に対し水平移動自在に設けるとともに、前記椅子本体の側部に突出される突出位置と、該椅子本体の内部に収容される没入位置とに回動規制することができる。
【００１５】
また、この発明の態様として、前記椅子本体の一側前部又は両側前部に、前記椅子本体の便座上面と水平となる高さに突出される補助板を設けることができる。
【００１６】
また、この発明の態様として、前記補助板を、前記椅子本体の側部に対して該椅子本体の前後方向と直交する方向に対して上下回動自在に設けるとともに、前記椅子本体の便座上面と水平となる高さ位置と、該椅子本体の側面に沿って下方に垂下された垂直位置とに上下回動自在に設けることができる。
【００１７】
また、この発明の態様として、前記補助板を、前記椅子本体の側部に対して該椅子本体の前後方向と直交する方向に対して水平移動自在に設けるとともに、前記椅子本体の側部に突出される突出位置と、該椅子本体の内部に収容される没入位置とに水平移動自在に設けることができる。
【００１８】
前記肘掛け固定手段は、例えばガイドレール及び係止孔、肘掛け固定ピン及び係止部、押下用スプリング等で構成することができる。  
バネ部材は、例えばコイルスプリング、コイルバネ、板バネ、合成ゴム等で構成することができる。  
移動位置表示手段は、例えば発光素子（ＬＥＤ）、電球、或いは、着色された色付きプレート等で構成することができる。  
人感センサーは、例えば赤外線センサー、超音波センサー、光電センサー等で構成することができる。  
【発明の効果】
【００１９】
この発明によれば、病人あるいは足腰の不自由な人が、立ち上がることなく椅子型トイレの便座上へ乗り移って排便することができる。また、排便後も一人でベッド上へ乗り移ることができる。
【図面の簡単な説明】
【００２０】
【図１】肘掛け板が前進位置へ移動され、座板が折り畳まれた椅子型トイレを示す斜視図。
【図２】図１の椅子型トイレを示す平面図。
【図３】肘掛け板を前後方向へ水平移動する動作を示す側面図。
【図４】肘掛け板を前後方向へ水平移動する動作を示す平面図。
【図５】肘掛け板が前進位置に固定された状態を示す肘掛け部の拡大側面図。
【図６】肘掛け板が中間位置に移動された状態を示す肘掛け部の拡大側面図。
【図７】肘掛け板が後退位置に固定された状態を示す肘掛け部の拡大側面図。
【図８】肘掛け板が前後方向に水平移動される動作を示す横断平面図。
【図９】肘掛け固定機構の固定動作及び解除動作を示す拡大縦断面図。
【図１０】椅子型トイレをベッドの側部に配置した状態を示す正面図。
【図１１】肘掛け板の移動位置を表示するための発光素子が取り付けられた椅子型トイレを示す平面図。
【図１２】補助板が上下回動自在に取り付けられた椅子型トイレの他の例を示す斜視図。
【図１３】補助板が水平移動自在に取り付けられた椅子型トイレのその他の例を示す斜視図。
【発明を実施するための形態】
【実施例】
【００２１】
図１は、肘掛け板４が前進位置へ移動され、座板８が折り畳まれた椅子型トイレ１を示す斜視図、図２は、図１の椅子型トイレ１を示す平面図、図３は、肘掛け板４を前後方向へ水平移動する動作を示す側面図、図４は、肘掛け板４を前後方向へ水平移動する動作を示す平面図である。
【００２２】
本実施例の椅子型トイレ１は、上面中央が便座７と対応する大きさ及び形状に開口された箱状の椅子本体２と、椅子本体２の後側に取り付けられた背凭れ部３と、椅子本体２の両側上部に取り付けられた左右一対の肘掛け部４，４と、椅子本体２の両側下部に取り付けられた左右一対の脚部５，５とで構成されている。なお、実施例における左右とは、椅子型トイレ１に着座した利用者Ｂから見た方向である。
【００２３】
椅子本体２の内部には、利用者Ｂ（図１０の仮想線参照）が排出した糞尿を分解・処理するための糞尿処理部６が設けられている。また、椅子本体２の上面側開口部には、上面中央を楕円形状に開口してなる便座７が載置されている。その便座７の上面には、前後方向へ折り畳み自在な座板８が載置されている。
【００２４】
椅子本体２の両側部には、背凭れ部３と、肘掛け部４と、脚部５を取り付けるための側板２ａが固定されている。また、側板２ａは、図示しない背凭れ付きの椅子を側面から見た形状と酷似する形状に形成されている。また、側板２ａの後側上端には、木ネジ等のネジ部材２２によって、後述する背凭れ部３を取り付けるための背凭れ支柱２ｂが上方に向けて一体的に固定されている。
【００２５】
背凭れ部３は、左右側板２ａの後側上端に固定された背凭れ支柱２ｂの上端側対向面に架設されている。また、背凭れ部３の外面は、木製の基板前面にポリウレタンフォームを皮革や布地等で被覆してなるクッション材を装着して、上方から見て滑らかな曲面形状に形成されている。
【００２６】
椅子本体２の後側上端と、背凭れ部３の下端と、背凭れ支柱２ｂの内側対向面とで囲まれた長方形状の空間は、後述する座板８の折り畳み幅より幅広で、該座板８の折り畳み高さより縦長となる大きさに形成されている。つまり、座板８の前側座板８ａと後側座板８ｂとを折り畳みながら後方へ回動した際に、前記空間を座板８が通り抜けて、背凭れ部３の後方への移動が許容されるように設けられている。
【００２７】
座板８は、略同形状に形成された前側座板８ａと後側座板８ｂとで構成されている（図３、図４参照）。また、座板８の外面は、木製の基板上面にポリウレタンフォームを皮革や布地等で被覆してなるクッション材を装着して、椅子本体２の上面と対応する大きさ及び形状に形成されている。
【００２８】
また、前側座板８ａの後端と後側座板８ｂの前端とに跨って固定された蝶番９，９によって、前側座板８ａと後側座板８ｂとの両裏面が互いに重ね合わされるように折り畳み自在に連結されている。
【００２９】
座板８は、後側座板８ｂの後端両側に固定された係止金具１０，１０と、椅子本体２の後端両側に固定された受け金具１１，１１との係合によって、椅子本体２の後側上端に対して前後回動自在及び上下着脱自在に連結されている。
【００３０】
つまり、前側座板８ａと後側座板８ｂとを折り畳みながら後方へ回動することによって、座板８全体を起立した状態に折り畳むことができる。また、後側座板８ｂの係止金具１０，１０を椅子本体２の受け金具１１，１１から分離することによって、座板８全体を椅子本体２から分離することができる。或いは、係止金具１０，１０を受け金具１１，１１に係合すれば、座板８全体を椅子本体２に取り付けることができる。
【００３１】
左右一対の肘掛け部４，４は、図５、図６、図７、図８にも示すように、側面から見てＬ字状に組み付けられた木製の肘掛け支持板４Ｂと、該肘掛け支持板４Ｂの水平支持板４Ｂｂに対し前後方向に向けて水平移動自在に取り付けられた木製の肘掛け板４Ａとで構成される。
【００３２】
肘掛け板４Ａは、椅子本体２の側面と略同一となる長さに形成されている。また、肘掛け支持板４Ｂの水平支持板４Ｂｂは、肘掛け板４Ａの全長に対し略１／２の寸法に形成されている。
【００３３】
肘掛け支持板４Ｂは、側板２ａの中央側面より後側に寄った部分に対し垂直に固定された垂直支持板４Ｂａと、垂直支持板４Ｂａの上端に対し前後方向に向けて水平に固定された水平支持板４Ｂｂとで構成されている。また、垂直支持板４Ｂａと水平支持板４Ｂｂは、側面から見て直角を成す角度（Ｌ字状）に連結されている。
【００３４】
垂直支持板４Ｂａの下端は、木ネジ等のネジ部材２２によって側板２ａの中央側面より後側に寄った部分に固定されている。また、垂直支持板４Ｂａの上端は、図示しない連結ピンによって水平支持板４Ｂｂの前端側下面に対し直交して固定されている。また、水平支持板４Ｂｂの後端は、木ネジ等のネジ部材２２によって背凭れ支柱２ｂの中央側面より下方に寄った部分に対し水平に固定されている。
【００３５】
つまり、垂直支持板４Ｂａ及び水平支持板４Ｂｂの取り付け位置を上下方向に変更すれば、肘掛け部４の全体を、利用者Ｂの要望或いは好みに応じた肘掛け高さに可変調節することができる。
【００３６】
肘掛け板４Ａの下面側には、該肘掛け板４Ａの長手方向と平行してアリ溝１３が形成されている。また、アリ溝１３には、該アリ溝１３と合致する断面形状に形成された下面開放型のガイドレール１４が長手方向に挿入されている。
【００３７】
ガイドレール１４は、肘掛け板４Ａの後端側からアリ溝１３に挿入され、アリ溝１３の後端側に挿入且つネジ止めされた木製の抜止め部材１５で抜止めされている。
【００３８】
ガイドレール１４の下面側中央部には、椅子本体２の前後方向と平行して、１本の溝部１４ｃが長手方向に連続して形成されている。また、溝部１４ｃは、後述するスライドガイド１６ａ，１６ｂの外径より幅狭に形成され、且つ、固定ピン１７ａ，１７ｂの外径より幅広に形成されている。
【００３９】
ガイドレール１４の前端側下面には、肘掛け板４Ａを前進位置（図５参照）に固定するための係止孔１４ａが形成されている。また、ガイドレール１４の後端側下面には、肘掛け板４Ａを後退位置（図７参照）に固定するための係止孔１４ｂが形成されている。なお、係止孔１４ａ，１４ｂは、溝部１４ｃと連通して形成されている。
【００４０】
前記水平支持板４Ｂｂの前端側下面には、肘掛け板４Ａを、該肘掛け板４Ａの前端が椅子本体２の前側上方に移動された前進位置と、該肘掛け板４Ａの前端が椅子本体２の中央上方より後側に移動された後退位置とに固定するための肘掛け固定機構３０が設けられている。
【００４１】
肘掛け固定機構３０は、図９にも示すように、肘掛け部４を前進位置及び後退位置に固定するための肘掛け固定ピン３１と、該肘掛け固定ピン３１の係止部３１ｂがガイドレール１４の係止孔１４ａ又は１４ｂに対し係合される方向に押し下げるための押下用スプリング３２と、該肘掛け固定ピン３１の突出側下端に固定されたロック解除ボタン３３で構成されている。  
また、ロック解除ボタン３３は、利用者Ｂの手の指が３本並列に掛けることができる長さ及び幅に形成されている。
【００４２】
肘掛け固定ピン３１は、水平支持板４Ｂｂの前端側に形成された軸受孔４Ｂｃに対し上下動自在に垂直挿入されている。  
軸受孔４Ｂｃは、水平支持板４Ｂｂの前端側上下面に対し厚み方向に貫通して形成され、スライドガイド１６ａ，１６ｂの中間位置よりもスライドガイド１６ａ側に寄った位置に配置されている。
【００４３】
水平支持板４Ｂｂの軸受孔４Ｂｃより上方に突出される肘掛け固定ピン３１の上端には、ガイドレール１４の内部に対し摺動自在に挿入されるスライド部３１ａが形成されている。  
スライド部３１ａは、溝部１４ｃの対向縁部間より大径に形成され、該溝部１４ｃの対向縁部上に対し係止される大きさ及び形状に形成されている。
【００４４】
スライド部３１ａの厚みは、係止孔１４ａ又は１４ｂから係止部３１ｂが抜き取り許容される厚みに形成されるとともに、ガイドレール１４の内側上面に対し当接が回避される厚みに形成されている。
【００４５】
スライド部３１ａの下面側には、肘掛け固定ピン３１の軸芯を中心として、係止孔１４ａ又は１４ｂに対し係合される係止部３１ｂが形成されている。
【００４６】
係止部３１ｂは、溝部１４ｃの対向縁部間より大径に形成され、係止孔１４ａ，１４ｂと合致する大きさ及び形状に形成されている。
【００４７】
軸受孔４Ｂｃに挿入された肘掛け固定ピン３１の下端は、水平支持板４Ｂｂの下面より下方に突出され、該水平支持板４Ｂｂの前端側下面に配置されたロック解除ボタン３３の内側中心部に固定されている。
【００４８】
押下用スプリング３２は、軸受孔４Ｂｃの下端側周縁部に形成された段部４Ｂｄと、肘掛け固定ピン３１の下端側軸周面に嵌着されたワッシャー１９との間に圧縮して装填されている。
【００４９】
つまり、押下用スプリング３２は、圧縮装填時に蓄積された復元力によって、肘掛け固定ピン３１の全体を下方に向けて垂直に押し下げるとともに、スライド部３１ａの係止部３１ｂが係止孔１４ａ又は１４ｂに対し係合される方向に常時付勢している。
【００５０】
水平支持板４Ｂｂの前端側下面には、ロック解除ボタン３３を、係止孔１４ａ又は１４ｂから係止部３１ｂが抜き取られるロック解除方向（図９のｅに示す矢印方向）に向けてガイドするための凹部４Ｂｅが形成されている。  
凹部４Ｂｅは、ロック解除ボタン３３を下面側から見た形状と対応する楕円形状に形成され、該ロック解除ボタン３３のロック解除操作が許容される大きさ及び形状に形成されている。
【００５１】
また、凹部４Ｂｅの深さは、係止孔１４ａ又は１４ｂと係止部３１ｂとの係合が解除されるロック解除方向に向けて、肘掛け固定ピン３１及びロック解除ボタン３３の移動が許容される深さに形成されている。
【００５２】
ガイドレール１４の内部には、プラスチック製のスライドガイド１６ａ，１６ｂが前後摺動自在に挿入されており、一対のスライドガイド１６ａ，１６ｂによって、肘掛け板４Ａの水平移動が椅子本体２の前後方向と平行する方向にガイドされる（図５〜図８参照）。
【００５３】
スライドガイド１６ａは、水平支持板４Ｂｂの前端側上面に対し垂直に固定された固定ピン１７ａの突出側上端に取り付けられている。また、スライドガイド１６ｂは、水平支持板４Ｂｂの後端側上面に対し垂直に固定された固定ピン１７ｂの突出側上端に取り付けられている。
【００５４】
つまり、スライドガイド１６ａ，１６ｂによって、肘掛け板４Ａの水平移動が前進位置と後退位置に移動規制される。
【００５５】
ガイドレール１４の前端側には、肘掛け板４Ａを前進位置から中間位置に向けて後方へ押し戻すためのコイルスプリング１８ａがスライドガイド１６ａと対向して収容されている。また、ガイドレール１４の後端側には、肘掛け板４Ａを後退位置から中間位置に向けて前方へ押し戻すためのコイルスプリング１８ｂがスライドガイド１６ｂと対向して収容されている。
【００５６】
なお、水平支持板４Ｂｂの上面に突設されたスライドガイド１６ａ，１６ｂとスライド部３１ａは、肘掛け板４Ａの後端側からガイドレール１４の溝部１４ｃに挿入され、該肘掛け板４Ａの後端側にネジ止めされた抜止め部材１５で抜止めされる。
【００５７】
前記左右一対の脚部５は、室内の床面等に対して前後方向に向けて水平に接地される長尺の接地板５ａと、接地板５ａの前後上面に立設された前後一対の脚支持板５ｂとで構成されている。
【００５８】
また、脚支持板５ｂの上端側は、木ネジ等のネジ部材２２によって側板２ａの下端側前後外面に固定され、便座７或いは座板８の座位に応じて高さ調節自在に設けられている。
【００５９】
つまり、脚支持板５ｂの高さを上下方向に可変調節することによって、椅子本体２を、利用者Ｂの座高に応じた高さに可変調節することができる。  
これにより、椅子本体２の便座７の上面と、例えばマット、敷布団等からなるベッドＡの上面とが同じ高さ或いは水平となる高さに調節することができる（図１０参照）。
【００６０】
また、接地板５ａの後端には、キャスター２１が取り付けられている。つまり、椅子型トイレ１を背凭れ側へ傾けて、左右の接地板５ａに取り付けられたキャスター２１を床面に接地することにより、椅子型トイレ１の全体を背凭れ側へ傾けたまま所望する場所へ移動させることができる。
【００６１】
前記糞尿処理部６は、図２に示すように、上面が開口された処理室６ａの内部に、椅子本体２の前後方向と平行して、左右一対の撹拌羽根６ｂ，６ｂが回転自在に軸支されている。
【００６２】
左右一対の撹拌羽根６ｂ，６ｂは、棒状又は板状の羽根６ｃを、回転軸６ｄの軸周面に対して径方向に固定するとともに、該回転軸６ｄの長さ方向に対して所定間隔に隔てて取り付けている。
【００６３】
２本の回転軸６ｄ，６ｄは、処理室６ａの前後内壁面間に対して平行して軸架され、図示しないモータによって相対向する方向へ回転される。  
なお、実施例においてモータは、椅子本体２の後部に固定されたボックス２ｅに内蔵されているが、椅子本体２に内蔵してもよい。  
また、モータの駆動及び停止は、図示しないセンサーによって座板８の開閉を検知した際、該センサーから出力される検知信号に基づいて制御される。
【００６４】
つまり、使用後において、座板８を閉じると、図示しないモータによって左右一対の撹拌羽根６ｂ，６ｂが相対向する方向へ一定時間回転される。また、撹拌羽根６ｂ，６ｂが回転している際に座板８を開けると、モータの駆動が即時停止される。
【００６５】
糞尿処理部６の処理室６ａ内に、利用者Ｂが排出した糞尿を分解するためのバイオ菌と、オガ屑や木チップ等を予め投入収容しておき、利用者Ｂが排出した糞尿を左右一対の撹拌羽根６ｂ，６ｂの回転力によって撹拌すれば、バイオ菌の活動が促進される。これにより、短時間で糞尿が分解・処理される。
【００６６】
図示実施例は前記の如く構成するものにして、以下、椅子型トイレ１で用便する方法を説明する。
【００６７】
先ず、図１０に示すように、ベッドＡに腰掛けた病人や足腰の不自由な利用者Ｂが、該ベッドＡの側部に配置された椅子型トイレ１の便座７上へ乗り移る場合、図１、図２に示すように、座板８を折り畳みながら後方へ回動して、背凭れ部３の後方へ起立した状態に折り畳む。
【００６８】
次に、ベッドＡ側の肘掛け部４に設けられた肘掛け固定機構３０のロック解除ボタン３３を、肘掛け部４に掛けた方の手の指でロック解除方向（図９のｅに示す矢印方向）へ押し上げ操作する。
【００６９】
つまり、ロック解除ボタン３３を、押下用スプリング３２の復元力に抗してロック解除方向へ押し上げ操作すれば、ガイドレール１４の係止孔１４ｂから肘掛け固定ピン３１の係止部３１ｂが抜き取られ、肘掛け板４Ａの固定が解除される（図９のｅ参照）。
【００７０】
係止孔１４ｂから係止部３１ｂが抜き取られると同時に、ガイドレール１４の後端側に収容されたコイルスプリング１８ｂの復元力によって、肘掛け板４Ａの全体が前進位置（図５、図８のａ参照）から、中間位置（図６、図８のｂ参照）に向けて後方へ水平移動或いは押し戻される。
【００７１】
また、係止孔１４ｂが係止部３１ｂに対し係合不可となる位置に変位されるとともに、ガイドレール１４の溝部１４ｃの対向縁部上に肘掛け固定ピン３１の係止部３１ｂが乗り上げることになる。
【００７２】
これにより、肘掛け板４Ａが前進位置に移動されないかぎり、係止孔１４ｂが係止部３１ｂに係合されることがない。また、肘掛け板４Ａが水平移動自在な状態に保たれるので、肘掛け板４Ａを、利用者Ｂの手によって後退位置へ水平移動することができる。
【００７３】
次に、肘掛け板４Ａが後退位置（図７、図８のｃ参照）に到達する直前において、ガイドレール１４の前端側に収容されたコイルスプリング１８ａが、水平支持板４Ｂｂの前端側上面に突設されたスライドガイド１６ａに押し付けられる。
【００７４】
ガイドレール１４の係止孔１４ａが肘掛け固定ピン３１の係止部３１ｂに対し係合される位置に到達するまで、コイルスプリング１８ａが長手方向に圧縮され、肘掛け板４Ａの全体を前方へ押し戻そうとする復元力が蓄積される。
【００７５】
係止孔１４ａが係止部３１ｂに係合される後退位置に到達すると同時に、押下用スプリング３２の復元力によって、肘掛け固定ピン３１が下方へ押し下げられ、ガイドレール１４の係止孔１４ａに対し肘掛け固定ピン３１の係止部３１ｂが即座に係合される。
【００７６】
これにより、肘掛け板４Ａが、該肘掛け板４Ａの前端が椅子本体２の中央上方より後側に移動された後退位置（図７、図８のｃ参照）に固定されるので、後述する乗り移り時において、肘掛け板４Ａが前進位置へ押し戻されることがない。  
つまり、肘掛け板４Ａを後退位置へ水平移動した際に、ロック解除ボタン３３を、係止孔１４ａに対し係止部３１ｂが係合される方向に引き下げ操作するような手間及び操作が省け、肘掛け板４Ａを後退位置に対し自動的に固定することができる。
【００７７】
次に、図１０に示すように、ベッドＡに腰掛けた病人や足腰の不自由な利用者Ｂが、該ベッドＡの側部に配置された椅子型トイレ１の便座７上へ乗り移る際に、或いは、該ベッドＡの側部に配置された椅子型トイレ１の便座７上からベッドＡへ乗り移る際に、肘掛け板４Ａと肘掛け支持板４Ｂが重ね合わされた肘掛け部４を利用者Ｂの手で把持する。
【００７８】
つまり、乗り移り時において、肘掛け部４にガタ付が生じることがなく、利用者Ｂの身体をしっかりと支えることができる。また、肘掛け板４Ａによって利用者Ｂの乗り移る動作が妨げられることがなく、乗り移りがスムースに行える。
【００７９】
利用者Ｂが、椅子型トイレ１の便座７上へ乗り移った後、正面向きに着座した姿勢のまま、肘掛け部４に掛けた方の手の指で、肘掛け固定機構３０のロック解除ボタン３３をロック解除方向へ押し上げ操作すれば、後退位置に移動された肘掛け板４Ａの固定が解除される。
【００８０】
つまり、ロック解除ボタン３３を、押下用スプリング３２の復元力に抗してロック解除方向へ押し上げ操作すれば、ガイドレール１４の係止孔１４ａから肘掛け固定ピン３１の係止部３１ｂが抜き取られ、肘掛け板４Ａの固定が解除される。
【００８１】
同時に、コイルスプリング１８ａに蓄積された復元力によって、肘掛け板４Ａの全体が後退位置（図７、図８のｃ参照）から、中間位置（図６、図８のｂ参照）に向けて前方へ水平移動或いは押し戻される。
【００８２】
係止孔１４ａが係止部３１ｂに対し係合不可となる位置に変位されるとともに、ガイドレール１４の溝部１４ｃの対向縁部上に肘掛け固定ピン３１の係止部３１ｂが乗り上げることになる。
【００８３】
これにより、肘掛け板４Ａが後退位置に移動されないかぎり、係止孔１４ｂが係止部３１ｂに係合されることがない。また、肘掛け板４Ａが水平移動自在な状態に保たれるので、肘掛け板４Ａを、利用者Ｂの手によって前進位置へ水平移動することができる。
【００８４】
次に、肘掛け板４Ａが前進位置（図５、図８のａ参照）に到達する直前において、ガイドレール１４の後端側に収容されたコイルスプリング１８ｂが、水平支持板４Ｂｂの後端側上面に突設されたスライドガイド１６ｂに押し付けられる。
【００８５】
ガイドレール１４の係止孔１４ｂが肘掛け固定ピン３１の係止部３１ｂに対し係合される位置に到達するまで、コイルスプリング１８ｂが長手方向に圧縮され、肘掛け板４Ａの全体を後方へ押し戻そうとする復元力が蓄積される。
【００８６】
係止孔１４ｂが係止部３１ｂに係合される前進位置に到達すると同時に、押下用スプリング３２の復元力によって、肘掛け固定ピン３１が下方へ押し下げられ、ガイドレール１４の係止孔１４ｂに対し肘掛け固定ピン３１の係止部３１ｂが係合される。
【００８７】
これにより、肘掛け板４Ａが、該肘掛け板４Ａの前端が椅子本体２の前側上方に移動された前進位置（図５、図８のａ参照）に固定されるので、後述する排便時において、肘掛け板４Ａが後退位置へ押し戻されることがない。  
つまり、肘掛け板４Ａを前進位置へ水平移動した際に、ロック解除ボタン３３を、係止孔１４ａに対し係止部３１ｂが係合される方向に引き下げ操作するような手間及び操作が省け、肘掛け板４Ａを前進位置に対し自動的に固定することができる。
【００８８】
椅子型トイレ１に着座した姿勢で排便した後、利用者ＢがベッドＡから椅子型トイレ１へ乗り移る際には、再び、肘掛け固定機構３０のロック解除ボタン３３を、肘掛け部４に掛けた方の手の指でロック解除方向へ押し上げ操作する。
【００８９】
前記と同様に、肘掛け板４Ａが水平移動自在な状態となるので、肘掛け板４Ａの全体を、前進位置（図５、図８のａ参照）から後退位置（図７、図８のｃ参照）へ水平移動させて、該肘掛け板４Ａの前端が椅子本体２の中央上方より後側に移動された後退位置に固定する。
【００９０】
これにより、肘掛け板４Ａによって利用者Ｂの乗り移る動作が妨げられることがなく、排便後も一人でベッドＡから椅子型トイレ１へ乗り移ることができる。
【００９１】
図１１は、肘掛け板４の前端側上面に取り付けられた発光素子４０を「青色」、「黄色」、「緑色」に発光させて、該肘掛け板４が前進位置、後退位置、中間位置に移動されたことを表示する椅子型トイレ１の他の例を示す斜視図である。
【００９２】
本例の椅子型トイレ１は、椅子本体２の前部又は側部に、人が近づいたことを検知する人感センサー４１が取り付けられている。また、人感センサー４１は、図示しない電気回路を介して、肘掛け板４の前端側上面に取り付けられた発光素子４０に接続されている。
【００９３】
発光素子４０は、肘掛け板４の移動位置を検知する図示しない位置検知センサーから出力される検知信号に基づいて、「青色」、「黄色」、「緑色」の３色に発光される。
【００９４】
つまり、椅子型トイレ１に利用者Ｂが近づくと、人感センサー４１から出力される検知信号に基づいて、肘掛け板４に取り付けられた発光素子４０が、肘掛け板４の前進位置、中間位置、後退位置と対応して「青色」、「黄色」、「緑色」に発光される。
【００９５】
つまり、肘掛け板４が前進位置に固定された際には、発光素子４０が「緑色」に点灯するので、椅子型トイレ１に腰を下ろす際に手で把持することが可能であるか、肘掛けとして利用することが可能であるか否かを目で確認することができる。
【００９６】
また、肘掛け板４が後退位置に固定された際には、発光素子４０が「赤色」に点灯するので、ベッドＡから椅子型トイレ１へ乗り移る際、或いは、椅子型トイレ１からベッドＡへ乗り移る際に、肘掛け板４が乗り移りの邪魔にならない位置にあるか否かを目で確認することができる。
【００９７】
さらに、椅子型トイレ１の前に立った姿勢から利用者Ｂが腰を下ろす際には、肘掛け板４が手で把持することが不可であることを目で確認することができる。
【００９８】
また、肘掛け板４が前進位置と後退位置の間を移動する中間位置では、発光素子４０が「黄色」に点灯するので、手で把持するか、肘掛けとして利用する際には注意が必要であることを目で確認することができる。
【００９９】
これにより、肘掛け板４が前進位置、後退位置、中間位置のどの位置にあるかを正確且つ確実に把握することができる。
【０１００】
図１２は、椅子本体２の両側前部に、左右一対の補助板２３，２３が椅子本体２の前後方向と直交する方向に対し上下回動自在に設けられた椅子型トイレ１の他の例を示す斜視図である。
【０１０１】
本例の椅子型トイレ１は、補助板２３は、ベッドＡと椅子本体２との間に形成される空間と同等又は幅広となる寸法に形成されている。且つ、側板２ａの中央上端から前側上端に至る側面に取り付けられている。
【０１０２】
また、補助板２３は、椅子本体２の便座７上面と水平となる水平位置と、椅子本体２の側面に沿って下方に垂下された垂下位置とに上下回動自在に設けられている。また、椅子本体２の側部と対応する側板２ａの前側上端には、垂下位置に回動された補助板２３が収容される収容部２ｃを形成している。
【０１０３】
補助板２３の下面両端には、一対の支持脚２４，２４を補助板２３の回動方向と直交する方向に対して上下回動自在に連結している。つまり、補助板２３を水平位置に引き起こした後、一対の支持脚２４，２４を垂直に回動して椅子本体２の側面に当接する。これにより、補助板２３が水平位置に回動規制される。
【０１０４】
ベッドＡから椅子型トイレ１へ乗り移る際に、ベッドＡ側の補助板２３を椅子本体２の便座７上面と水平となる水平位置に回動する。また、一対の支持脚２４，２４を垂直に回動して椅子本体２の側面に当接する（図１２に示す実線参照）。
【０１０５】
これにより、ベッドＡと椅子本体２との間に形成される空間が補助板２３で隠蔽され、乗り移り時の段差が小さくなるので、ベッドＡと椅子型トイレ１との間で利用者Ｂの乗り移りが容易に行えるとともに、前記実施例と略同等の作用及び効果を奏することができる。
【０１０６】
図１３は、椅子本体２の両側前部に、左右一対の補助板２５，２５が椅子本体２の前後方向と直交する左右方向に対し水平移動自在に設けられた椅子型トイレ１のその他の例を示す斜視図である。
【０１０７】
本例の椅子型トイレ１は、前記補助板２３と同一の大きさ及び形状に形成された補助板２５が、椅子本体２の前部側面に形成された凹状の収容部２ｄに対して出没自在に収容されている。また、補助板２５は、椅子本体２の側部に突出される突出位置と、収容部２ｄに収容される没入位置とに水平移動自在に設けられている。
【０１０８】
ベッドＡから椅子型トイレ１へ乗り移る際に、ベッドＡ側の収容部２ｄから補助板２５を水平方向に引き出して、椅子本体２の便座７上面と水平となる高さに突出する（図１３に示す実線参照）。
【０１０９】
これにより、ベッドＡと椅子本体２との間に形成される空間が補助板２５で隠蔽され、乗り移り時の段差が小さくなるので、ベッドＡと椅子型トイレ１との間で利用者Ｂの乗り移りが容易に行えるとともに、前記実施例と略同等の作用及び効果を奏することができる。
【０１１０】
この発明の構成と、前記実施形態との対応において、  
この発明の肘掛け固定手段は、実施例の肘掛け固定機構３０に対応し、  
以下同様に、  
バネ部材は、コイルスプリング１８ａ，１８ｂに対応し、  
操作部は、ロック解除ボタン３３に対応し、  
移動位置表示手段及び発光装置は、発光素子４０に対応するも、  
この発明は、上述の実施形態の構成のみに限定されるものではなく、請求項に示される技術思想に基づいて応用することができ、多くの実施の形態を得ることができる。
【０１１１】
前記実施例の肘掛け板４Ａを後退位置へ水平移動した際に、水平支持板４Ｂｂの後端より後方に突出される肘掛け板４Ａの後端側を、水平支持板４Ｂｂの後端を基準として下方又は上方へ上下回動自在に設けてもよい。
【０１１２】
また、糞尿処理部６に代えて、例えば椅子本体２の内部に、糞尿を収容するための容器を出入自在に収容しておいてもよい。また、ネジ部材に代えて、例えばボルト、ピン、釘等の固定部材で固定してもよい。
【符号の説明】
【０１１３】
Ａ…ベッド
Ｂ…利用者
１…椅子型トイレ
２…椅子本体
３…背凭れ部
４…肘掛け部
４Ａ…肘掛け板
４Ｂ…肘掛け支持板
４Ｂｂ…水平支持板
４Ｂｃ…軸受孔
５…脚部
６…糞尿処理部
７…便座
８…座板
１４…ガイドレール
１４ａ，１４ｂ…係止孔
１４ｃ…溝部
１６ａ，１６ｂ…スライドガイド
１８ａ，１８ｂ…コイルスプリング
２１…キャスター
２３，２５…補助板
３０…肘掛け固定機構
３１…肘掛け固定ピン
３１ａ…スライド部
３１ｂ…係止部
３２…押下用スプリング
３３…ロック解除ボタン
４０…発光素子
４１…人感センサー
【図１】
2011019663.tif 000003
【図２】
2011019663.tif 000004
【図３】
2011019663.tif 000005
【図４】
2011019663.tif 000006
【図５】
2011019663.tif 000007
【図６】
2011019663.tif 000008
【図７】
2011019663.tif 000009
【図８】
2011019663.tif 000010
【図９】
2011019663.tif 000011
【図１０】
2011019663.tif 000012
【図１１】
2011019663.tif 000013
【図１２】
2011019663.tif 000014
【図１３】
2011019663.tif 000015